(57)【要約】      （修正有）【課題】一つ穴タイプのコーヒードリッパーに対しても、簡単でかつきれいに嵌るコーヒーフィルターを提供する。【解決手段】略方形の第１フィルター部材２と、第１フィルター部材２と対向して対になる第２フィルター部材３と、を備え、第１フィルター部材２および第２フィルター部材３のそれぞれは、略方形の４辺である第１端部４、第２端部５、第３端部６および第４端部７を有し、第１フィルター部材２および第２フィルター部材３の第１端部４および第２端部５のそれぞれが接合されており、第３端部６および第４端部７は、解放されており、第１端部４および第２端部５は略方形において隣接しており、第３端部６および第４端部７は、略方形において隣接しており、第１フィルター部材２の第３端部６および第４端部７と、第２フィルター部材３の第３端部６および第４端部７が広げられることで、コーヒー豆粉末を投入できる内部空間８が形成可能である。【選択図】図２
0003202078.tif 000002
【実用新案登録請求の範囲】
【請求項１】
略方形の第１フィルター部材と、
前記第１フィルター部材と対向して対になる第２フィルター部材と、を備え、
前記第１フィルター部材および前記第２フィルター部材のそれぞれは、略方形の４辺である第１端部、第２端部、第３端部および第４端部を有し、
前記第１フィルター部材および前記第２フィルター部材の前記第１端部および前記第２端部のそれぞれが接合されており、
前記第３端部および前記第４端部は、解放されており、
前記第１端部および前記第２端部は前記略方形において隣接しており、前記第３端部および前記第４端部は、前記略方形において隣接しており、
前記第１フィルター部材の前記第３端部および前記第４端部と、前記第２フィルター部材の前記第３端部および前記第４端部が広げられることで、コーヒー豆粉末を投入できる内部空間が形成可能であり、
前記内部空間が形成される際には、接合している前記第１端部および前記第２端部が底部となる、コーヒーフィルター。
【請求項２】
前記第１端部および前記第２端部は、その端面で接合されている、請求項１記載のコーヒーフィルター。
【請求項３】
前記第１端部および前記第２端部の交差部分は、略直角である、請求項１または２記載のコーヒーフィルター。
【請求項４】
前記第１フィルター部材および前記第２フィルター部材のそれぞれは、略直角を有する、請求項１から３のいずれか記載のコーヒーフィルター。
【請求項５】
前記第３端部と前記第４端部の交差部分のそれぞれは、前記第１フィルター部材および前記第２フィルター部材のそれぞれで把持されることが可能である、請求項１から４のいずれか記載のコーヒーフィルター。
【請求項６】
前記第３端部と前記第４端部の交差部分のそれぞれが把持されて広げられることで、前記内部空間が形成される、請求項５記載のコーヒーフィルター。
【請求項７】
前記第３端部と前記第４端部の交差部分のそれぞれが把持されることで、使用後にコーヒードリッパーから取り出し可能である、請求項５または６記載のコーヒーフィルター。
【請求項８】
前記コーヒードリッパーの底面が直線部を有する場合には、前記第１端部と前記第２端部の交差部分が、前記直線部に合わせて折り曲げ可能である、請求項１から７のいずれか記載のコーヒーフィルター。
【考案の詳細な説明】
【技術分野】
【０００１】
本考案は、コーヒードリッパーに使用されるコーヒーフィルターであって、コーヒードリッパーの形状と構造に最適であるコーヒーフィルターを提供することを目的とする。
【背景技術】
【０００２】
我が国を始め、多くの国おいてコーヒーは人々に愛飲されている。朝食の際、昼食後、休憩時間、眠気防止、談話の際など、様々なシチュエーションで、人々はコーヒーを飲む。ここで、人々に愛飲されているコーヒーには、大きく２種類がある。コーヒーの豆を焙煎して所定の粉末に挽いたものを、種々の方法でドリップして抽出されるコーヒーと、コーヒー抽出物を人工的な粉末としたいわゆるインスタントコーヒーとである。
【０００３】
後者のインスタントコーヒーは、人工的な粉末をお湯で溶かして使用される。このため、非常に気軽である。しかしながら、インスタントコーヒーの改良が進んでいるとはいえ、その手軽さと簡単さを優先している関係から、味としては不十分であることも多い。このため、焙煎されたコーヒー豆の粉末を、コーヒードリッパーを使用してコーヒーを抽出するいわゆるレギュラーコーヒーの需要もまだまだ高い。
【０００４】
このように、焙煎後に挽かれたコーヒー豆の粉末を用いてコーヒーを抽出するレギュラーコーヒーにおいては、種々の手段が用いられる。
【０００５】
例えば、ネルドリップ方式の場合には、布でできたネルにコーヒー豆粉末が投入されて、お湯が注がれる。お湯が注がれることで、ネルの下からコーヒー液が抽出される。ネルは、円錐に近い形状を有しており、下側が狭まっていく形状により、この狭まっている下側にお湯が集中して、コーヒー液が滴下される。この滴下が続くことで、飲用のためのコーヒーが用意される。
【０００６】
あるいは、不織布や紙製のコーヒーフィルターとコーヒードリッパーに組み合わせて、コーヒーが抽出されることもある。樹脂や陶器でできているコーヒードリッパーがコーヒーカップやコーヒーサーバーの上に設置される。コーヒードリッパーは、上部開口部から下側に向けて狭まっていく空間を有しており、この空間に不織布や紙製のコーヒーフィルターが挿入される。
【０００７】
このコーヒーフィルター内部に挽かれたコーヒー豆粉末が投入される。このコーヒー豆粉末の上からお湯が注がれて、コーヒー液が抽出される。ここで、コーヒードリッパーの底面には、単数もしくは複数の孔が空いており、この孔から抽出されたコーヒー液が滴下する。この滴下によって、飲用のコーヒーが抽出される。
【０００８】
ここで、ネルの場合には、保管や保存などの手間が掛かったり、使用の度に洗わなければならなかったりする問題がある。また、使用時には、手でネルを持ってお湯を注ぐ必要があるので、一般の人が家庭用などで使用する場合には、不便が多い。
【０００９】
これに対して、コーヒードリッパーにコーヒーフィルターを設置してコーヒーを抽出する場合には、コーヒーカップやコーヒーサーバーの上に設置した状態で使用できるので、容易である。また、コーヒーフィルターは使い捨てであるので、保管や洗浄などの手間が無く、一般の人でも使用しやすいメリットがある。
【００１０】
このため、コーヒー豆粉末を使用してレギュラーコーヒーを飲む場合には、コーヒードリッパーとコーヒーフィルターの組み合わせが使用されることが多い。このような状況で、使い捨てで使用される不織布や紙製のコーヒーフィルターが、様々に提供されている。コーヒーフィルターの使い勝手を向上させるための技術も提案されている（例えば、特許文献１参照）。
【先行技術文献】
【特許文献】
【００１１】
【特許文献１】特開２００８−２５３７００号公報
【考案の概要】
【考案が解決しようとする課題】
【００１２】
特許文献１は、日常的に使われるコーヒーフィルターにおいて通水濾過性シート材料からなるペーパーフィルター本体と、この本体の内面又は外面、若しくは両面の目盛りの位置に型押し、もしくはエンボス加工により凹凸を入れることにより目盛りを付けた目盛り付きコーヒーフィルターを開示する。
【００１３】
特許文献１のコーヒーフィルターは、一般的なコーヒードリッパーに挿入して使用される。特許文献１のコーヒーフィルターは、メモリを付与している以外は、一般的に使用されるコーヒーフィルターの形状や構造を有している。
【００１４】
ここで、従来においては、底面に３つの孔が空いているコーヒードリッパーが多く使用されていた。３つの孔が空いているタイプの方が、ドリップ速度が速いあるいはコーヒーフィルター内部のコーヒー豆粉末からの抽出が均一化されるなどの効果があるイメージがある。
【００１５】
このため、従来のコーヒーフィルターは、図８のように底部が直線的に閉じられた台形形状を有していることが多い。このような形状により、３つ孔タイプのコーヒードリッパーに最適に使用されるからである。図８は、従来技術の台形形状のコーヒーフィルターの正面図である。
【００１６】
また、従来のコーヒードリッパーは、扇形（底部が鈍角となる）を有していることが多い。これも３つ孔タイプのコーヒードリッパーに最適に使用されるために、底部が鈍角となる扇形の方がよいからである。
【００１７】
また、特許文献１の図にもあるように、従来のコーヒーフィルターは、側面に綴じ代があり、これを折り曲げてからコーヒードリッパーに挿入して使用する必要があった。これは、従来のコーヒーフィルターの製造工程の都合上、側面に綴じ代が形成されてしまうことによる。この綴じ代は、コーヒーフィルターの内部空間を形成する際の邪魔となるので、これを外側で折り曲げてから内部を膨らませて、コーヒードリッパー内部に挿入する必要があった。
【００１８】
一方で、近年は、３つ孔タイプのコーヒードリッパーから底部に一つの孔が空いた一つ穴タイプのコーヒードリッパーが流行するようになっている。一つ穴タイプのコーヒードリッパーは、コーヒーフィルターでの抽出を、一か所かつ中央に集中させることができる。この集中によって、コーヒー豆粉末の美味しいところだけを集中して抽出できるメリットがあるからである。
【００１９】
このような一つ穴タイプのコーヒードリッパーは、底部の幅が３つ孔タイプに比較して狭いので、３つ孔タイプのコーヒードリッパーより内部空間がよりスマートである。すなわち、底部が直角に近い円錐形を有している。このため、側面から見ると、３つ孔タイプのコーヒードリッパーは、底部が鈍角である扇形形状を有しており、一つ穴タイプのコーヒードリッパーは、底部が直角である直角三角形形状を有している。更には、一つ穴ドリッパーの底部は、直線部をほぼ有していない状態である。
【００２０】
このような一つ穴タイプのコーヒードリッパーに使用する場合に、図    に示されるような底部に直線部のある台形型コーヒーフィルターは、挿入しにくい問題がある。底部の直線部が、一つ穴タイプのコーヒードリッパーの底部に引っかかって、孔とコーヒーフィルターの底部との間に空間が生じてしまう問題がある。
【００２１】
これを防止するために、台形型のコーヒーフィルターの側面を折り曲げて、底部の直線部を生じさせないようにして、コーヒードリッパーに挿入する必要がある。これは、作業が面倒であるだけでなく、コーヒーフィルターに投入されているコーヒー豆粉末からのコーヒー液の抽出が不十分となる問題もある。
【００２２】
また、台形型コーヒーフィルターは鈍角の扇形形状を有しているので、直角の円錐形状の一つ穴タイプのコーヒードリッパーに取り付けにくい問題もある。更には、上述したように、側面の綴じ代が邪魔である問題もある。これらのように、コーヒードリッパーの内部空間形状との不整合により、台形型のコーヒーフィルターは使用感やおいしくコーヒーを抽出することについて不具合があった。これは、特許文献１のような円錐形ではあるが、扇形や側面の綴じ代がある場合でも同様である。
【００２３】
このように従来技術のコーヒーフィルターは、底部に直線部があること、扇形形状を有していること、側面に綴じ代があることで、一つ穴タイプのコーヒードリッパーに取り付けるのが面倒であったり適していなかったりする問題を有していた。
【００２４】
図９は、従来技術のコーヒーフィルターを一つ穴タイプのコーヒードリッパーに装着した状態を示す側面図である。一つ穴タイプのコーヒードリッパーは直角三角形に近い側面形状を有している。これに対して、扇形形状を有しているコーヒーフィルターは、取付け時にきれいに嵌らない。更には、底部に直線部を有するコーヒーフィルターであることで、コーヒードリッパーに対して底部がきれいに合わない。もちろん、綴じ代である側面を最初に折りたたむ必要がある。
【００２５】
本考案は、これらの問題に鑑み、一つ穴タイプのコーヒードリッパーに対しても、簡単でかつきれいに嵌るコーヒーフィルターを提供することを目的とする。
【課題を解決するための手段】
【００２６】
上記課題に鑑み、本考案のコーヒーフィルターは、略方形の第１フィルター部材と、
第１フィルター部材と対向して対になる第２フィルター部材と、を備え、
第１フィルター部材および第２フィルター部材のそれぞれは、略方形の４辺である第１端部、第２端部、第３端部および第４端部を有し、
第１フィルター部材および第２フィルター部材の第１端部および第２端部のそれぞれが接合されており、
第３端部および第４端部は、解放されており、
第１端部および第２端部は略方形において隣接しており、第３端部および第４端部は、略方形において隣接しており、
第１フィルター部材の第３端部および第４端部と、第２フィルター部材の第３端部および第４端部が広げられることで、コーヒー豆粉末を投入できる内部空間が形成可能であり、
内部空間が形成される際には、接合している第１端部および第２端部が底部となる。
【考案の効果】
【００２７】
本考案のコーヒーフィルターは、側面に綴じ代が無いことで、使用時に側面を折り曲げるなどの手間が不要である。このため、コーヒードリッパーにすぐに装着して使用することができる。
【００２８】
また、本考案のコーヒーフィルターは、底部に直線部を有していないので、一つ穴タイプのコーヒードリッパーであっても、きれいに嵌めることができ、装着状態が適切である。同様に、底部が略直角なので、やはり一つ穴タイプのコーヒードリッパーにきれいに嵌めることができる。この結果、コーヒードリッパーとコーヒーフィルターとの間に大きな隙間が生じにくく、お湯を注いでコーヒーを抽出するにあたり、よりおいしいコーヒーを抽出することができる。
【００２９】
また、コーヒードリッパーに装着された際に、上方の２辺が大きく開口しつつ、その端部が上方に延伸している。このため、これら２つの端部をつかんでコーヒーフィルターをコーヒードリッパーから取り出すことが、簡単にできる。このため、コーヒーの抽出が終わった後のコーヒーフィルターをつまんで簡単に捨てることもできる。
【図面の簡単な説明】
【００３０】
【図１】本考案の実施の形態１におけるコーヒーフィルターの側面図である。
【図２】本考案の実施の形態１におけるコーヒーフィルターの斜視図である。
【図３】本考案の実施の形態１におけるコーヒーフィルターの上面図である。
【図４】本考案の実施の形態１におけるコーヒードリッパーにコーヒーフィルターを取り付けた状態を示す側面図である。
【図５】本考案の実施の形態１におけるコーヒードリッパーからコーヒーフィルターを取り出す状態を示す模式図である。
【図６】本考案の実施の形態２における底部を折り曲げ可能としたコーヒーフィルター１の正面図である。
【図７】本考案の実施の形態２における底部を折り曲げた状態のコーヒーフィルターの正面図である。
【図８】従来技術の台形形状のコーヒーフィルターの正面図である。
【図９】従来技術のコーヒーフィルターを一つ穴タイプのコーヒードリッパーに装着した状態を示す側面図である。
【考案を実施するための形態】
【００３１】
本考案の第１の考案に係るコーヒーフィルターは、略方形の第１フィルター部材と、
第１フィルター部材と対向して対になる第２フィルター部材と、を備え、
第１フィルター部材および第２フィルター部材のそれぞれは、略方形の４辺である第１端部、第２端部、第３端部および第４端部を有し、
第１フィルター部材および第２フィルター部材の第１端部および第２端部のそれぞれが接合されており、
第３端部および第４端部は、解放されており、
第１端部および第２端部は略方形において隣接しており、第３端部および第４端部は、略方形において隣接しており、
第１フィルター部材の第３端部および第４端部と、第２フィルター部材の第３端部および第４端部が広げられることで、コーヒー豆粉末を投入できる内部空間が形成可能であり、
内部空間が形成される際には、接合している第１端部および第２端部が底部となる。
【００３２】
この構成により、一つ穴タイプのコーヒードリッパーにも最適に取り付けることができる。
【００３３】
本考案の第２の考案に係るコーヒーフィルターでは、第１の考案に加えて、第１端部および第２端部は、その端面で接合されている。
【００３４】
この構成により、綴じ代が生じず、使用前に折り曲げるなどの手間が省ける。
【００３５】
本考案の第３の考案に係るコーヒーフィルターでは、第１または第２の考案に加えて、第１端部および第２端部の交差部分は、略直角である。
【００３６】
この構成により、スリムで円錐形状の挿入空間を有する一つ穴タイプのコーヒーフィルターにも取り付けやすい。
【００３７】
本考案の第４の考案に係るコーヒーフィルターでは、第１から第４のいずれかの考案に加えて、第１フィルター部材および第２フィルター部材のそれぞれは、略直角を有する。
【００３８】
この構成により、スリムで円錐形状の挿入空間を有する一つ穴タイプのコーヒーフィルターにも取り付けやすい。
【００３９】
本考案の第５の考案に係るコーヒーフィルターでは、第１から第４のいずれかの考案に加えて、第３端部と第４端部の交差部分のそれぞれは、第１フィルター部材および第２フィルター部材のそれぞれで把持されることが可能である。
【００４０】
この構成により、使用者は、簡単にコーヒーフィルターを開いてコーヒードリッパーに取り付けることができる。
【００４１】
本考案の第６の考案に係るコーヒーフィルターでは、第５の考案に加えて、第３端部と第４端部の交差部分のそれぞれが把持されて広げられることで、内部空間が形成される。
【００４２】
この構成により、コーヒー豆粉末を入れることができる。
【００４３】
本考案の第７の考案に係るコーヒーフィルターでは、第５または第６の考案に加えて、第３端部と第４端部の交差部分のそれぞれが把持されることで、使用後にコーヒードリッパーから取り出し可能である。
【００４４】
この構成により、使用後に簡単に捨てることができる。しかも周りを汚しにくい。
【００４５】
本考案の第８の考案に係るコーヒーフィルターでは、第１から第７のいずれかの考案に加えて、コーヒードリッパーの底面が直線部を有する場合には、第１端部と第２端部の交差部分が、直線部に合わせて折り曲げ可能である。
【００４６】
この構成により、様々な形状を有するコーヒードリッパーに合わせた仕様が可能となる。
【００４７】
以下、図面を参照しながら、本考案の実施の形態を説明する。
【００４８】
（実施の形態１）
【００４９】
（全外概要）
図１は、本考案の実施の形態１におけるコーヒーフィルターの側面図である。コーヒーフィルター１は、第１フィルター部材２、第２フィルター部材３を備える。第１フィルター部材２は、略方形を有している。第２フィルター部材３は、第１フィルター部材２と対向してついになる。このため、第２フィルター部材３は、第１フィルター部材２と同様に略方形を有していればよい。更にいえば、第１フィルター部材２と第２フィルター部材３のそれぞれは、同等の形状を有していることが適当である。
【００５０】
第１フィルター部材２および第２フィルター部材３のそれぞれは、略方形を有している（角部に丸みやＲが備わっていたり、各辺である端部が曲線などを有していたりすることを除外するものではない）。このため、第１フィルター部材２および第２フィルター部材３のそれぞれは、４つの辺である、第１端部４、第２端部５、第３端部６、第４端部７を有している。
【００５１】
すなわち、第１フィルター部材２および第２フィルター部材３のそれぞれは、外周を第１端部４、第２端部５、第３端部６、第４端部７で囲まれた形状を有している。
【００５２】
ここで、第１フィルター部材２と第２フィルター部材３とは、第１端部４および第２端部５のそれぞれで接合されている。すなわち、第１フィルター部材２の第１端部４と第２フィルター部材３の第１端部４が接合されると共に、第１フィルター部材２の第２端部５と第２フィルター部材３の第２端部５が接合されている。
【００５３】
一方で、第１フィルター部材２と第２フィルター部材３とは、第３端部６および第４端部７で解放されている。すなわち、第１フィルター部材２の第３端部６と第２フィルター部材３の第３端部７とは、接合されずに解放されている。
【００５４】
これらの結果、コーヒーフィルター１は、４つの端部を有する略方形であり、この４つの端部の内、隣接する２つの端部である第１端部４と第２端部５が接合されてつながっている。更に残りの隣接する２つの端部である第３端部６と第４端部７とが開放されている。
【００５５】
また、コーヒーフィルター１は、第１フィルター部材２とこれに対向する第２フィルター部材３との組み合わせで構成されているので、第１フィルター部材２と第２フィルター部材３とが閉じて合わさっている場合には、略方形を有する。
【００５６】
この第１フィルター部材２と第２フィルター部材３とが閉じた状態でも、第３端部６と第４端部７とは接続されておらず解放されている。
【００５７】
すなわち、コーヒーフィルター１は、図１のような状態の場合には、下方の第１端部４と第２端部５が接合されて閉じており、上方の第３端部６と第４端部７が開くことが可能な状態となる。すなわち、図１の状態から図２のように上方を開いて袋状にすることができる。
【００５８】
なお、第１端部〜第４端部は、第１端面〜第４端面もしくは第１辺〜第４辺として定義されてもよい。
【００５９】
図２は、本考案の実施の形態１におけるコーヒーフィルターの斜視図である。図２は、図１で示されたコーヒーフィルター１での解放されている第３端部６と第４端部７とが開放されて広がる。この広がりが生じる場合でも、下方の第１端部４と第２端部５は、接合されて閉じている。このため、上方が開いた袋状となる。この袋状により、第１フィルター部材２と第２フィルター部材３との間に内部空間８が形成できる。
【００６０】
内部空間８は、その下方は、接合されている第１端部４と第２端部５とで閉じられているので、下方が支持されている。すなわち、接合されている第１端部４と第２端部５が、底部となって内部空間８の底部を閉じた状態にできる。
【００６１】
このように解放されている第３端部６と第４端部７とが開きつつ、接合されている第１端部４と第２端部５とが閉じて底部となって、コーヒー豆粉末を投入できる内部空間８が形成できる。
【００６２】
このように、実施の形態１におけるコーヒーフィルター１は、略方形であることで、台形状ではない。このため、一つ穴タイプのコーヒードリッパーにも最適に設置できる。また、綴じ代を有さず、第１端部４と第２端部５とが、その端面で接合されているので、綴じ代を折り曲げてコーヒードリッパーに取り付ける手間もない。
【００６３】
図３は、本考案の実施の形態１におけるコーヒーフィルターの上面図である。コーヒーフィルター１を開いた状態を上から見た状態を示している。すなわち、内部空間８を上から見た状態を示している。
【００６４】
このように、解放されている第３端部６と第４端部７から、第１フィルター部材２と第２フィルター部材３とを開くことで、コーヒー豆粉末を投入できる内部空間８が形成できる。上から見ると、図３のように、第１端部４と第２端部５とで、接合されているので、この接合部分が底部となって、投入されるコーヒー豆粉末を支えることができる。
【００６５】
ここで、第１端部４と第２端部５は、その端面で接合されている。図１などでは、端面で接合されている状態が示されている。例えば、平面状の略方形の第１フィルター部材２と第２フィルター部材３とが対向するように合わされて、第１端部４と第２端部５となる端面が溶着、接着等されて接合されればよい。
【００６６】
あるいは、すべての端部が接合された袋部材として形成された後で、第３端部６と第４端部７が切り離されることで、図１のようなコーヒーフィルター１が製造されてもよい。
【００６７】
このように、第１端部４および第２端部５のそれぞれは、端面で接合されているので、従来技術のコーヒーフィルターのように綴じ代を有さない。この綴じ代が無いことで、コーヒードリッパーに取り付ける際に、綴じ代を折り曲げるなどの手間が不要となるメリットがある。
また、図１などに示されるように、第１フィルター部材２および第２フィルター部材３のそれぞれは、略直角を有することが適当である。特に、接合されている第１端部５と第２端部６との交差部分が、略直角であることが適当である。
【００６８】
このように、第１端部５と第２端部６の交差部分が略直角であることで、閉じられている下方からコーヒードリッパーに取り付けられる際に、直角三角形に近いコーヒードリッパーの形状にフィットしやすい。
【００６９】
従来技術で説明したように、一つ穴タイプのコーヒードリッパーは、コーヒーフィルターを取り付ける内部空間は、側面から見ると直角三角形を有している。このような直角三角形の一つ穴タイプのコーヒードリッパーに対しても、交差部分が略直角であることで、フィットしやすくなる。
【００７０】
また、第１端部４と第２端部５の交差部分が略直角であることで、コーヒーフィルター１は、その側面形状が、直角部分を有する方形形状となる。この方形形状によって、実施の形態１におけるコーヒーフィルター１は、直角三角形の側面を有するコーヒードリッパーに対しても、フィットするように取り付けられる。
【００７１】
図４は、本考案の実施の形態１におけるコーヒードリッパーにコーヒーフィルターを取り付けた状態を示す側面図である。図１〜３を用いて説明したコーヒーフィルター１は、コーヒードリッパー１０に取り付けられる。
【００７２】
図４に示されるコーヒードリッパー１０は、一つ穴タイプである。この一つ穴タイプであることで、コーヒードリッパー１０のコーヒーフィルターを取り付ける内部は、側面から見ると略直角三角形（下向きに）に近い形状を有している。従来技術の鈍角の扇形である台形形状のコーヒーフィルターは、このようなスリムな円錐形のコーヒードリッパー１０に取り付けてもフィットしない。
【００７３】
これに対して、図４のように、実施の形態１におけるコーヒーフィルター１は、スリムで円錐形のコーヒードリッパー１０に取り付ける際にもフィットした状態である。また、一つ穴タイプのコーヒードリッパー１０は、底面に一つの孔が空いている。コーヒーフィルター１は、方形であり、第１端部４と第２端部５の交差部分が、この一つ穴に対応する。
【００７４】
方形の一つの角である第１端部４と第２端部５の交差部分が、そのまま一つ穴に対応するように取り付けられる。この取付けによって、コーヒーフィルターの先端が、コーヒードリッパー１０の一つ穴に当たって、コーヒーの抽出がスムーズになる。
【００７５】
このように、実施の形態１におけるコーヒーフィルター１は、一つ穴タイプのコーヒードリッパー１０に対しても、内壁にフィットするように取り付けられる。フィットして取り付けられることで、コーヒーフィルター１の内部空間８に投入されたコーヒー豆粉末からのコーヒー液抽出が最適に行われる。
【００７６】
（使用態様）
実施の形態１のコーヒーフィルター１の使用態様を説明する。  
【００７７】
実施の形態１のコーヒーフィルター１は、図１のような状態で提供される。この時、第１端部４および第２端部５は接合されており、第３端部６および第４端部７が開放されている。なお、提供される際には、第３端部６および第４端部７も接続されており、使用者が使用する際に、この第３端部６および第４端部７を切り離して開放してもよい。
【００７８】
使用者は、第３端部６と第４端部７の交差部分のそれぞれをつかむ。すなわち把持する。このつかんだ交差部分のそれぞれを、左右に広げる。このようにして広げると、図２のように、第１フィルター部材２と第２フィルター部材３との間に、内部空間８が形成される。この状態を上から見ると、図３のようになる。
【００７９】
このとき、下側の第１端部４と第２端部５とは、第１フィルター部材２と第２フィルター部材３同士で接合されているので、下側は閉じて上側が開いた袋状の状態となる。この袋状の内部空間８にコーヒー豆粉末を投入できる。
【００８０】
図２、図３のような状態になると、使用者は、そのまま第３端部６と第４端部７の交差部分のそれぞれを把持できる。この把持状態で、使用者はコーヒーフィルター１をコーヒードリッパー１０に取り付けることができる。この取り付けた状態が、図４の状態である。
【００８１】
図４のように、コーヒーフィルター１を取り付けると、解放されている第３端部６と第４端部７とが、広がって、コーヒードリッパー１０の形状に合う状態となる。この状態で、内部空間８にコーヒー豆粉末が投入される。
【００８２】
使用者は、図４の状態で、内部空間８のコーヒー豆粉末にお湯を注いで、コーヒーを抽出する。この抽出によって、コーヒーを入れることができる。上述のように、綴じ代を折り曲げたり、コーヒードリッパー１０の形状に合わせることもなく、容易かつフィットして取り付けることができる。
【００８３】
また、使用者は、第３端部６と第４端部７の交差部分のそれぞれを把持することで、コーヒーフィルター１をコーヒードリッパー１０から取り外すこともできる。図５は、本考案の実施の形態１におけるコーヒードリッパーからコーヒーフィルターを取り出す状態を示す模式図である。使用者の手を省略しているが、使用者は、第１フィルター部材２と第２フィルター部材３の上部をそれぞれつまんで、コーヒーフィルター１を、コーヒードリッパー１０から取り出すことができる。使用者は、取り出したコーヒーフィルター１をそのままゴミ箱などに捨てることもできる。
【００８４】
従来の台形状のコーヒーフィルターの場合には、コーヒードリッパーに取り付けた状態では、つまみやすい部分が無い。このため、コーヒードリッパーを引っくり返すなどしてゴミ捨てを行うことが多かった。このため、散らかったり汚くなったりすることも多かった。
【００８５】
これに対して、図５のように上方にとがった部分をつまんで捨てることで、汚したりすることも少ない。実施の形態１におけるコーヒーフィルター１は、このような面でもメリットがある。
【００８６】
（実施の形態２）
【００８７】
次に実施の形態２について説明する。
実施の形態１では、スリムで円錐形の一つ穴タイプのコーヒードリッパー１０に使用する場合を説明した。これに対して、台形形状の３つ孔タイプのコーヒードリッパーもある。
【００８８】
図６は、本考案の実施の形態２における底部を折り曲げ可能としたコーヒーフィルター１の正面図である。コーヒーフィルター１は、不織布や紙製である。このため、柔軟性を有しており、折り曲げることが可能である。図６では、折れ線１１が示されている。使用者は、コーヒードリッパーの形状に合わせて、下側を折り曲げることができる。
【００８９】
このとき、折り曲げるのは、接合されている第１端部４と第２端部５の交差部分に対応する側である。この交差部分が、コーヒードリッパーに取り付けられる際の底部になるからである。
【００９０】
図７は、本考案の実施の形態２における底部を折り曲げた状態のコーヒーフィルターの正面図である。底部が折り曲げられることで、台形状の３つ孔タイプのコーヒードリッパーにも容易に取り付けが可能である。
【００９１】
折り曲げは、コーヒードリッパーの形状に合わせて行われればよい。
【００９２】
このように、実施の形態２におけるコーヒーフィルター１は、柔軟性によって、コーヒードリッパーの様々な形状に合わせて取り付けることができる。
【００９３】
なお、実施の形態１、２で説明されたコーヒーフィルターは、本考案の趣旨を説明する一例であり、本考案の趣旨を逸脱しない範囲での変形や改造を含む。
【符号の説明】
【００９４】
１    コーヒーフィルター
２    第１フィルター部材
３    第２フィルター部材
４    第１端部
５    第２端部
６    第３端部
７    第４端部
８    内部空間
１０    コーヒードリッパー
１１    折り曲げ線
【図１】
0003202078.tif 000003
【図２】
0003202078.tif 000004
【図３】
0003202078.tif 000005
【図４】
0003202078.tif 000006
【図５】
0003202078.tif 000007
【図６】
0003202078.tif 000008
【図７】
0003202078.tif 000009
【図８】
0003202078.tif 000010
【図９】
0003202078.tif 000011